(57)【要約】【課題】保守員による抜去要求操作に対して的確に応答することにより、保守作業を円滑に行うことを可能にする手段を提供する。【解決手段】実装されている多数の機能パッケージ（ＰＫＧ）４２の各前面に、保守者５によりＯＮ／ＯＦＦ操作されて抜去予定ＰＫＧを指定する抜去指定用スイッチ４２２と、該抜去指定用スイッチの状態を保守者５に確認可能に表示するスイッチ状態表示部４２３と、オペレータ１により設定された抜去対象ＰＫＧであるか否かの情報を保守者５に確認可能に表示する抜去対象表示部４２４とを備え、保守者５により抜去予定ＰＫＧが指定されたとき、該指定情報をオペレータ１側の制御端末２へ送信し、該指定情報に対する応答としてオペレータ１から入力された抜去対象ＰＫＧ情報を抜去対象表示部４２４に表示することにより、保守者５に抜去予定ＰＫＧが間違っていないかを確認させる。【選択図】図１
2008198871.tif 000002
【特許請求の範囲】
【請求項１】
抜去可能に実装された複数の機能パッケージ（以下、ＰＫＧ）と、該複数のＰＫＧの中から特定のＰＫＧを抜去して保守作業を実施可能に構成された装置において、
前記各ＰＫＧの前面に、保守者によりＯＮ／ＯＦＦ操作されて抜去予定ＰＫＧを指定する抜去指定用スイッチと、該抜去指定用スイッチの状態を前記保守者に確認可能に表示するスイッチ状態表示部と、遠隔オペレータにより設定された抜去対象ＰＫＧの情報を前記保守者に確認可能に表示する抜去対象表示部とが備えられていることを特徴とする誤抜去防止システム。
【請求項２】
前記抜去指定用スイッチにより前記抜去予定ＰＫＧが指定されたとき、該指定情報を前記遠隔オペレータ側の制御端末へ送信する手段と、該指定情報に対する応答として前記制御端末から入力された抜去対象ＰＫＧ情報を受信する手段と、該受信した抜去対象ＰＫＧ情報で指定されたＰＫＧの前記抜去対象表示部に前記表示を行う手段を有していることを特徴とする請求項１に記載の誤抜去防止システム。
【請求項３】
前記各ＰＫＧにはロック機構が設けられ、前記抜去対象表示部への表示制御が実施されたときに当該ＰＫＧのロック機構を解除する手段を有していることを特徴とする請求項１または２に記載の誤抜去防止システム。
【請求項４】
請求項１または２に記載の誤抜去防止システムで用いることができる前記ＰＫＧであって、
前記各ＰＫＧの前面に、保守者によりＯＮ／ＯＦＦ操作されて抜去予定ＰＫＧを指定する抜去指定用スイッチと、該抜去指定用スイッチの状態を前記保守者に確認可能に表示するスイッチ状態表示部と、遠隔オペレータにより設定された抜去対象ＰＫＧの情報を前記保守者に確認可能に表示する抜去対象表示部とを備えていることを特徴とするＰＫＧ。
【請求項５】
請求項３に記載の誤抜去防止システムで用いることができる前記ＰＫＧであって、
前記各ＰＫＧの前面に、保守者によりＯＮ／ＯＦＦ操作されて抜去予定ＰＫＧを指定する抜去指定用スイッチと、該抜去指定用スイッチの状態を前記保守者に確認可能に表示するスイッチ状態表示部と、遠隔オペレータにより設定された抜去対象ＰＫＧの情報を前記保守者に確認可能に表示する抜去対象表示部と、該抜去対象表示部への表示制御が実施されたときに解除されるロック機構を備えていることを特徴とするＰＫＧ。
【発明の詳細な説明】
【技術分野】
【０００１】
本発明は、多数の機能パッケージの集合体から構成される装置において、保守作業のために実装されているパッケージ中の特定のパッケージを指定して抜去する際に、保守者が誤って対象外のパッケージを抜去することを防止するための技術に関する。
【背景技術】
【０００２】
多数の機能パッケージ（以下、ＰＫＧ）の集合体から構成される通信装置あるいは計算機システムにおいては、実装されている多数のＰＫＧの中から特定のＰＫＧを指定して抜去することにより保守作業が実施される場合が多いが、抜去対象ＰＫＧの周辺には、外観的に抜去対象ＰＫＧと似ているその他のＰＫＧが多数配置されているため、抜去対象ＰＫＧを抜去する際に、保守者が誤って対象外のＰＫＧを抜去してしまう可能性がある。また保守作業を監視する遠隔オペレータにとって、ＰＫＧが抜去されるまで保守者がどのＰＫＧを抜去しようとしているかが明示的に伝わりにくいという問題があった。
【０００３】
このような問題を解消する手段として、特許文献１では、計算機を構成する複数の機能ユニットを多重化した多重系計算機システムにおいて、各機能ユニットのそれぞれに抜去要求スイッチと抜去要求許可表示手段を設け、保守員により抜去要求スイッチがオンされた場合、抜去要求スイッチがオンされた機能ユニットと多重化されている機能ユニットの正常性を判定し、正常である場合にのみ、抜去要求許可表示手段に抜去許可を表示することによって、抜去前に、保守員に当該機能ユニットの抜去可否を再確認させ、抜去後に異常動作が発生するのを未然に防止する技術が提案されている。
【０００４】
特許文献１に記載の多重系計算機システムでは、機能ユニットの交換時に保守員が交換対象機能ユニット上の抜去要求許可スイッチをオンすると、システムは、該抜去要求許可スイッチのオン／オフを判定し、スイッチオン時は、当該抜去要求スイッチの属する機能ユニットと、多重化されている機能ユニットの正常性を判定することにより抜去要求の合理性を判定する。そして、正常で無い場合は抜去不可として、抜去要求を無視し処理を継続し、一方、正常である場合は、抜去可として抜去要求許可表示手段に、その旨表示する。保守員は抜去要求許可表示手段の表示を確認することにより、該機能ユニットを交換、もしくは作業の再確認を行うようにしている。
【０００５】
【特許文献１】特開平５−１９７４４９号公報
【発明の開示】
【発明が解決しようとする課題】
【０００６】
上記特許文献１に記載の発明の場合、保守員が機能ユニットの抜去を行うために当該機能ユニットの抜去要求スイッチをオンにしたとき、それに対する応答として抜去要求許可表示手段に抜去許可が表示されれば、保守員は、当該機能ユニットの抜去の正当性を再確認することができるが、保守員が機能ユニットの抜去を行うために当該機能ユニットの抜去要求スイッチをオンしたにもかかわらず、それに対する応答としての抜去許可が抜去要求許可表示手段に表示されない場合には、抜去許可が表示されない原因として、当該機能ユニットが抜去対象ではない場合以外に、当該機能ユニットに対する抜去要求スイッチのオン操作が確実に行われなかった、あるいは抜去要求スイッチのオン操作がシステム側に伝わらなかった場合も考えられるため、保守員が疑心暗鬼に陥り、当該機能ユニットの抜去要求スイッチのオン操作を再度繰り返す虞がある。そのため保守作業が円滑に行われず、余計な時間を費やしてしまうという問題がある。
【０００７】
本発明の目的は、上記問題点に鑑み、保守員による保守作業時の抜去要求操作に対して的確に応答することにより、保守作業を円滑に行うことを可能にする手段を提供することにある。
【課題を解決するための手段】
【０００８】
本発明の誤抜去防止システムは、抜去可能に実装された複数の機能パッケージ（以下、ＰＫＧ）と、該複数のＰＫＧの中から特定のＰＫＧを抜去して保守作業を実施可能に構成された装置において、前記各ＰＫＧの前面に、保守者によりＯＮ／ＯＦＦ操作されて抜去予定ＰＫＧを指定する抜去指定用スイッチと、該抜去指定用スイッチの状態を前記保守者に確認可能に表示するスイッチ状態表示部と、遠隔オペレータにより設定された抜去対象ＰＫＧの情報を前記保守者に確認可能に表示する抜去対象表示部とが備えられていることを特徴とする。
【０００９】
またそのために、保守者により前記抜去指定用スイッチから抜去予定ＰＫＧが指定されたとき、該指定情報を前記遠隔オペレータ側の制御端末へ送信する手段と、該指定情報に対する応答として前記制御端末から入力された抜去対象ＰＫＧ情報を受信する手段と、該受信した抜去対象ＰＫＧ情報により指定されたＰＫＧの前記抜去対象表示部に前記表示を行う手段を有していることを特徴とする。
【００１０】
即ち本発明では、装置に実装された各ＰＫＧには、保守者が抜去対象ＰＫＧを明示的に保守者自身や遠隔にいるオペレータに通知するための制御機構（スイッチ）が具備され、そのスイッチ状態を自分に表示させる機構およびオペレータからの応答を表示する機構が備えられているので、保守者は、これから抜去しようとしているＰＫＧを再確認することができ、かつオペレータにより設定された抜去対象ＰＫＧの情報を抜去対象表示部により確認することができる。
【００１１】
このようにして、本発明では、オペレータと保守者で連携し、保守者自身が抜去しようとしているＰＫＧに対して簡単な操作をすることで、抜去するＰＫＧを保守者自身が再確認するとともに、遠隔にいるオペレータへ抜去するＰＫＧを通知できる。そして、オペレータからの抜去対象ＰＫＧ情報を表示させることで、保守者が抜去対象以外のＰＫＧを誤抜去することを防ぐことができる。
【００１２】
また、本発明の誤抜去防止システムで用いることができる前記ＰＫＧは、該各ＰＫＧの前面に、保守者によりＯＮ／ＯＦＦ操作されて抜去予定ＰＫＧを指定する抜去指定用スイッチと、該抜去指定用スイッチの状態を前記保守者に確認可能に表示するスイッチ状態表示部と、遠隔オペレータにより設定された抜去対象ＰＫＧであるか否かの情報を前記保守者に確認可能に表示する抜去対象表示部とを備えていることを特徴とする。
【発明の効果】
【００１３】
本発明によれば、オペレータと保守者で連携し、保守者自身が抜去しようとしているＰＫＧに対して簡単な操作をすることで、保守者自身の確認と遠隔にいるオペレータへの通知を実施でき、かつオペレータから抜去対象ＰＫＧを識別して、その状態を表示するので、保守者が抜去対象以外のＰＫＧを誤抜去することを防ぐことができる。
【００１４】
また、簡単な操作及び構成で、オペレータと保守者の間で抜去対象ＰＫＧの認識を一致させることができ、かつ表示部の確認で保守者の次に実施するアクションが容易にわかるので、保守作業を円滑かつ短時間で実施することが可能となる。
【発明を実施するための最良の形態】
【００１５】
図１は、本発明の実施形態を示す誤抜去防止システムの構成及びＰＫＧの機能ブロック図である。
【００１６】
図において、オペレータ１は、ネットワーク全体を監視しており、またＰＫＧの交換作業が行われるときにはその作業を監視する。そのためオペレータ１はＰＫＧ交換情報を予め入手しており、抜去対象ＰＫＧを識別することができ、制御端末２を使用することにより、通信網３を介して接続されている複数の装置４の状態を確認することによって、各装置４に実装されているＰＫＧの中で抜去対象となるＰＫＧを設定することができる。また制御端末２は、通信網３を介して装置４から通知されるスイッチ状態情報を受信し、オペレータ１に対してその情報を表示させるとともに、オペレータ１からの抜去対象ＰＫＧ情報を、通信網３を介して装置４に送信する。
【００１７】
装置４はそれぞれ、装置制御部４１と複数のＰＫＧ４２を有しており、それらは、装置内のバス４３を介して接続されている。装置制御部４１は、ＰＫＧ４２のスイッチの状態を制御端末２に通知する機能と、制御端末２からの抜去対象ＰＫＧ情報をＰＫＧ４２に対して設定する機能を備えている。
【００１８】
ＰＫＧ４２は、ＰＫＧ制御部４２１とスイッチ４２２とスイッチ状態表示部４２３及び抜去対象表示部４２４を有している。ＰＫＧ制御部４２１は、スイッチ４２２の状態をスイッチ状態表示部４２３へ表示させるともに装置制御部４１へスイッチ４２２の状態を通知する。また、装置制御部４１からの抜去対象ＰＫＧ情報を抜去対象表示部４２４へ表示させる機能を有している。
【００１９】
スイッチ４２２は、保守者５により明示的に抜去対象ＰＫＧであることを示す為に操作される。スイッチ状態表示部４２３は、ＰＫＧ制御部４２１に従い、スイッチ４２２の状態を表示させる。抜去対象表示部４２４は、ＰＫＧ制御部４２１に従い、オペレータ１が設定した抜去対象ＰＫＧであることを表示させる。保守者５は、ＰＫＧ４２を抜去する人であり、ＰＫＧ抜去するに際して、保守者自身の確認と遠隔にいるオペレータへの通知のためにスイッチ４２２を操作する。なお、図１の通信網３は、当業者にとってよく知られており、また本発明とは直接関係しないので、その詳細な構成は省略する。
【００２０】
図２及び図３は、本実施形態における誤抜去防止のための動作を示すタイムチャートであり、図２は保守者とオペレータの間で抜去対象ＰＫＧの認識が一致している場合の動作、図３は保守者とオペレータの間で抜去対象ＰＫＧの認識が一致していない場合の動作をそれぞれ示している。なお、図２〜図３では２つのＰＫＧを備えた装置で説明しているが、本実施形態は２以上のＰＫＧを備えた装置に適用可能である。以下、本実施形態における誤抜去防止のための動作について、図１〜図３を参照して説明する。
【００２１】
先ず、保守者とオペレータの間で抜去対象ＰＫＧの認識が一致している場合について説明する。
【００２２】
予め入手した作業手順書の抜去対象ＰＫＧ情報に従って、保守者５が、これから抜去する予定のＰＫＧ４２（ＰＫＧ-１）に対して、スイッチ４２２をＯＮにすると(a-1)、このスイッチＯＮ情報がＰＫＧ-１のＰＫＧ制御部４２１に入力され(a-2)、ＰＫＧ制御部４２１は、スイッチ状態表示部４２３を制御してスイッチ４２２がＯＮになったことをスイッチ状態表示部４２３に表示する(a-3)。保守者５は、このスイッチ状態表示部４２３の表示により抜去する予定のＰＫＧを再確認することができる(a-4)。
【００２３】
また、ＰＫＧ制御部４２１は、このスイッチ４２２のＯＮ情報を装置制御部４１に通知し(a-5)、装置制御部４１は、通信網３を介して制御端末２にこのスイッチ４２２のＯＮ情報を送信することにより抜去予定のＰＫＧ情報が通知され(a-6)、制御端末２に保守者５が選択した抜去予定ＰＫＧ（ＰＫＧ-１）の情報が表示される(a-7)。
【００２４】
オペレータ１は、制御端末２に表示された保守者５が選択した抜去予定ＰＫＧを確認し、保守者５からの情報が正しい場合、保守者５から通知された抜去予定ＰＫＧ情報と同じＰＫＧの情報（ＰＫＧ-１）を抜去対象ＰＫＧ情報として制御端末２に入力する(a-8)。この抜去対象ＰＫＧの情報は、通信網３を介して、装置制御部４１に送信される(a-9)。
【００２５】
装置制御部４１は、制御端末２から受信した抜去対象ＰＫＧ情報に従い、抜去対象ＰＫＧのＰＫＧ制御部４２１に情報を送信する(a-10)。抜去対象ＰＫＧのＰＫＧ制御部４２１は、抜去対象表示部４２４に抜去対象である旨の表示を行う(a-11)。保守者５は、保守者自身が抜去しようとしていたＰＫＧ（ＰＫＧ-１）とオペレータ１からの抜去対象ＰＫＧ（ＰＫＧ-１）が一致していることを確認し、抜去対象ＰＫＧ（ＰＫＧ-１）の抜去を実施する(a-12)。
【００２６】
次に、保守者とオペレータの間で抜去対象ＰＫＧの認識が一致していなかった場合について説明する。
【００２７】
保守者５が、これから抜去するＰＫＧ４２（ＰＫＧ-２）に対して、スイッチ４２２をＯＮにすると(b-1)、このスイッチＯＮ情報がＰＫＧ-２のＰＫＧ制御部４２１に入力され(b-2)、ＰＫＧ制御部４２１は、スイッチ状態表示部４２３を制御してスイッチ４２２がＯＮになったことをスイッチ状態表示部４２３に表示する(b-3)。保守者５は、このスイッチ状態表示部４２３の表示により抜去するＰＫＧを再確認することができる(b-4)。
【００２８】
また、ＰＫＧ制御部４２１は、このスイッチ４２２のＯＮ情報を装置制御部４１に通知し(b-5)、装置制御部４１は、通信網３を介して制御端末２にこのスイッチ４２２のＯＮ情報を送信することにより抜去予定ＰＫＧ情報を通知する(b-6)。制御端末２には保守者５が選択した抜去予定ＰＫＧの情報（ＰＫＧ-２）が表示される(b-7)。
【００２９】
オペレータ１は、制御端末２に表示された保守者５が選択した抜去予定ＰＫＧ（ＰＫＧ-２）は正しい抜去対象ＰＫＧ（ＰＫＧ-１）ではないことを確認して、新たに正しい抜去対象ＰＫＧ情報（ＰＫＧ-１）を制御端末２に入力する(b-8)。オペレータ１により入力されたこの抜去対象ＰＫＧの情報は、通信網３を介して装置制御部４１に送信される(b-9)。装置制御部４１は、制御端末２から受信した抜去対象ＰＫＧ情報に従い、抜去対象ＰＫＧ（ＰＫＧ-１）のＰＫＧ制御部４２１にこの情報を送信する(b-10)。
【００３０】
抜去対象ＰＫＧのＰＫＧ制御部４２１は、抜去対象表示部４２４に抜去対象である旨の表示を行う(b-11)。保守者５は、保守者のスイッチ操作でＯＮされているスイッチ状態表示部とオペレータ１の入力によりＯＮされている抜去対象表示部から、保守者自身が抜去しようとしていたＰＫＧ（ＰＫＧ-２）とオペレータ１からの抜去対象ＰＫＧ（ＰＫＧ-１）が一致していないことを確認し、保守者５が抜去しようとしているＰＫＧが間違っていることを認識する(b-12)。
【００３１】
そこで、今まで保守者自身が抜去しようとしていたＰＫＧ４２（ＰＫＧ-２）のスイッチをＯＦＦにする(b-13)。このスイッチＯＦＦ情報がＰＫＧ-２のＰＫＧ制御部４２１に入力され(b-14)、ＰＫＧ制御部４２１は、スイッチ状態表示部４２３を制御してスイッチ４２２がＯＦＦになったことをスイッチ状態表示部４２３に表示する(b-15)。保守者５は、このスイッチ状態表示部４２３の表示により、保守者が抜去予定したＰＫＧが抜去対象ではなく、抜去するＰＫＧが間違っていたことを再確認することができる(b-16)。
【００３２】
また、ＰＫＧ制御部４２１は、このスイッチ４２２のＯＦＦ情報を装置制御部４１に通知し(b-17)、装置制御部４１は、通信網３を介して制御端末２にこのスイッチ４２２のＯＦＦ情報を送信することにより抜去予定ＰＫＧ情報が解除されたことを通知する(b-18)。制御端末２には保守者５による抜去予定ＰＫＧの解除情報が表示される(b-19)。
【００３３】
オペレータ１は、制御端末２に表示された保守者５による抜去予定ＰＫＧの解除情報を確認した後、保守者５から再度、抜去予定ＰＫＧを通知してもらうために一旦、オペレータが入力した抜去対象ＰＫＧ情報（ＰＫＧ-１）を取り消す旨の情報を制御端末２に入力し(b-20)、通信網３を介して、装置制御部４１に送信する(b-21)。装置制御部４１は、制御端末２から受信した前記取消情報を抜去対象ＰＫＧのＰＫＧ制御部４２１へ出力する(b-22)。
【００３４】
抜去対象ＰＫＧのＰＫＧ制御部４２１は、装置制御部４１から入力された前記取消情報に従って、ＰＫＧ-１の抜去対象表示部４２４をＯＦＦにする(b-23)。保守者５は、ＰＫＧ-１の抜去対象表示部４２４をＯＦＦになったことを確認して、再度、抜去対象予定ＰＫＧのオペレータへの通知（a-1,b-1）からやり直す。抜去するＰＫＧを間違えた場合は、最初から再実施したほうが、実施フローを単純化でき、再間違いを防止する効果がある。
【００３５】
本実施形態では、保守者による操作を表示するスイッチ状態表示部と、オペレータにより入力された情報に従った表示を行う抜去対象表示部を備えているので、保守者は、これら２つの表示部の状態により、次に実施すべきアクションを容易且つ的確に判断することができ、保守作業を円滑かつ正確に実施することが可能になる。
【００３６】
本発明の他の実施例として、その基本的構成は上記構成と同様であるが、ＰＫＧ４２に、オペレータ１からの操作で、ＰＫＧ４２の抜去対象表示部４２４への制御が実施されたときにロック解除を実施するロック機構を設けることができる。
【００３７】
本実施例によれば、保守者は、オペレータ１からの操作があるまでは、ＰＫＧを抜去することができないので、さらに誤抜去を防止する効果を高めることができる。
【図面の簡単な説明】
【００３８】
【図１】本発明の実施形態を示す誤抜去防止システムの構成及びＰＫＧの機能ブロック図である。
【図２】本実施形態における誤抜去防止のための動作を示すタイムチャートである。
【図３】本実施形態における誤抜去防止のための動作を示すタイムチャートである。
【符号の説明】
【００３９】
１  オペレータ
２  制御端末
３  通信網
４  装置
４１  装置制御部
４２  パッケージ（ＰＫＧ）
４２１  ＰＫＧ制御部
４２２  スイッチ
４２３  スイッチ状態制御部
４２４  抜去対象表示部
【図１】
2008198871.tif 000003
【図２】
2008198871.tif 000004
【図３】
2008198871.tif 000005